(57)【要約】      （修正有）【課題】異なる口径の容器に合わせて使用することができ、カバーユニットの変形を調整することで容器の内部空間と外界との連通を制御して、開口をカバーしながら内部の品物を放出できる容器用キャップ構造を提供する。【解決手段】キャップ構造は、本体１１０と、本体の周縁に一体的に設けられる弾性環状体１２０と、スルーホール１１１に覆設されるセパレーター１４０と中央接続部１４２に変形可能に設けられるカバーユニット１５０とを含むカバーセット１３０と、を備える。排水穴１４１は、カバーユニットが第１の形態に変形される場合、カバーユニットにより覆われ、第２の形態に変形される場合、容器の内部空間に連通する。【選択図】図１
0003227940.tif 000002
【実用新案登録請求の範囲】
【請求項１】
容器の開口を覆うための容器用キャップ構造において、
スルーホールを含む本体と、
前記本体の周縁に一体的に設けられ、且つ前記容器用キャップ構造を前記開口に位置決めするための弾性環状体と、
前記スルーホールに覆設され、且つ複数の排水穴及び一つの中央接続部を含有するセパレーターと、前記中央接続部に変形可能に設けられるカバーユニットと、を含み、前記本体に設けられるカバーセットと、
を備え、
前記排水穴は、前記カバーユニットが第１の形態に変形される場合、前記カバーユニットによって覆われるが、前記カバーユニットが第２の形態に変形される場合、前記容器の内部空間に連通する容器用キャップ構造。
【請求項２】
前記排水穴は、前記中央接続部を囲むように、互いに間隔をおいて並列される請求項１に記載の容器用キャップ構造。
【請求項３】
前記カバーユニットは、前記中央接続部に対応して接続される中心部を含む請求項１に記載の容器用キャップ構造。
【請求項４】
前記第１の形態は、中空の半円球形状であり、且つ前記カバーユニットが前記第１の形態となる場合、前記セパレーターは、前記カバーユニットによって完全に覆われる請求項１に記載の容器用キャップ構造。
【請求項５】
前記弾性環状体は、環状接続部及び裾部を含み、且つ前記環状接続部が前記本体の周縁に接続される請求項１に記載の容器用キャップ構造。
【請求項６】
容器の開口を覆うための飲料調製キャップ構造において、
スルーホールを含む本体と、
前記本体の周縁に一体的に設けられ、且つ前記飲料調製キャップ構造を前記開口に位置決めするための弾性環状体と、
前記スルーホールに覆設され、且つ複数の排水穴及び一つの中央開口を含有するセパレーターと、前記セパレーターの一側に変形可能に設けられ、且つ第１の表面及び第２の表面を含有するカバーユニットと、一端が前記第１の表面に接続されて設けられる第１のプルロッドと、一端が前記中央開口を貫通して前記第２の表面に接続されて設けられる第２のプルロッドと、を含み、前記本体に設けられるカバーセットと、
前記本体に取り外し可能に設けられ、前記カバーセットをカバーする飲料調製ユニットと、
を備え、
前記排水穴は、前記カバーユニットが前記第１のプルロッドによって引かれて第１の形態になる場合、前記カバーユニットによって覆われるが、前記カバーユニットが前記第２のプルロッドによって引かれて第２の形態になる場合、前記容器の内部空間に連通する飲料調製キャップ構造。
【請求項７】
前記排水穴は、前記中央開口を囲むように、互いに間隔をおいて並列される請求項６に記載の飲料調製キャップ構造。
【請求項８】
前記カバーユニットは、周長が前記セパレーターの周長よりも大きく、且つそのベクトル高さが前記セパレーターのベクトル高さよりも大きい請求項７に記載の飲料調製キャップ構造。
【請求項９】
前記第１の表面は第１の中心部を有し、前記第２の表面は第２の中心部を有し、且つ前記第１のプルロッドの一端が前記第１の中心部に接続され、前記第２のプルロッドの一端が前記第２の中心部に接続される請求項６に記載の飲料調製キャップ構造。
【請求項１０】
前記弾性環状体は、環状接続部、第１の裾部及び第２の裾部を含み、前記第１の裾部及び前記第２の裾部がそれぞれ前記環状接続部の両側に設けられ、且つ前記環状接続部が前記本体の周縁に接続される請求項６に記載の飲料調製キャップ構造。
【請求項１１】
前記飲料調製ユニットは、
内円錐面と、
前記内円錐面に間隔をおいて設けられる複数のリブと、
を含む圧潰コーンである請求項６に記載の飲料調製キャップ構造。
【請求項１２】
前記圧潰コーンは、前記第１のプルロッドが貫通する中央貫通穴を更に含み、前記第１のプルロッドの他端に第１のプラグを有し、前記第２のプルロッドの他端に第２のプラグを有し、且つ前記第１のプラグのサイズが前記中央貫通穴のサイズよりも大きい請求項１１に記載の飲料調製キャップ構造。
【請求項１３】
前記圧潰コーンは、
中央貫通穴と、
前記中央貫通穴に覆設され、且つ前記第１のプルロッドの他端が接続される仕切り膜と、
を更に含む請求項１１に記載の飲料調製キャップ構造。
【請求項１４】
前記飲料調製ユニットは、茶こしである請求項６に記載の飲料調製キャップ構造。
【請求項１５】
前記飲料調製ユニットは、製氷皿である請求項６に記載の飲料調製キャップ構造。
【考案の詳細な説明】
【技術分野】
【０００１】
本考案は、容器用キャップ構造及び飲料調製キャップ構造に関し、特に、即脱着式で異なる口径の容器に適用する容器用多機能キャップ構造及び飲料調製キャップ構造に関する。
【背景技術】
【０００２】
ボトル、缶、カップ、ボウル、プレート等の容器には、食べ物、飲み物等の固体又は液体の品物を置くための開口があり、前記開口のサイズに合うキャップで密閉されるので、更に容器内の品物が落下したりこぼれたりすることを防ぐ。しかしながら、従来のキャップは、ほとんど特定の口径の容器に応じて設計され、又はカップや缶等の容器とセットで配置されるため、異なる開口サイズの容器に広く使用されることはできない。
【０００３】
なお、容器内に入れられた品物が漏れたり溢れたりすることを防ぐために、キャップ体をねじ止めにより容器の開口部に接続させる当業者がいるが、前記キャップ体を開ける場合、ねじれでキャップ体を容器から分離させるように、両手で容器とキャップ体に力を加える必要があり、このように、ユーザーは、キャップ体を容器から分離させるためにかなり大きな力を加える必要があるだけでなく、キャップ体が容器に接続される前提で容器内の品物を放出することもできず、使用にも不便である。
【考案の概要】
【考案が解決しようとする課題】
【０００４】
従って、如何に即脱着式で異なる口径の容器に適用するキャップ体を開発するかは、経済的価値のある問題となる。
【課題を解決するための手段】
【０００５】
本考案の一実施形態は、容器の開口を覆うための容器用キャップ構造において、スルーホールを含む本体と、本体の周縁に一体的に設けられ、且つ容器用キャップ構造を開口に位置決めするための弾性環状体と、スルーホールに覆設され、且つ複数の排水穴及び一つの中央接続部を含有するセパレーターと、中央接続部に変形可能に設けられるカバーユニットと、を含み、本体に設けられるカバーセットと、を備え、排水穴は、カバーユニットが第１の形態に変形される場合、カバーユニットによって覆われるが、カバーユニットが第２の形態に変形される場合、容器の内部空間に連通する容器用キャップ構造を提供する。
【０００６】
前記実施形態の容器用キャップ構造によれば、前記排水穴は、中央接続部を囲むように互いに間隔をおいて並列してよい。
【０００７】
前記実施形態の容器用キャップ構造によれば、カバーユニットは、中央接続部に対応して接続される中心部を含んでよい。
【０００８】
前記実施形態の容器用キャップ構造によれば、第１の形態は、中空の半円球形状であってよく、且つカバーユニットが第１の形態となる場合、セパレーターは、カバーユニットによって完全に覆われる。
【０００９】
前記実施形態の容器用キャップ構造によれば、弾性環状体は、環状接続部及び裾部を含んでよく、且つ環状接続部が本体の周縁に接続される。
【００１０】
これにより、本考案の容器用キャップ構造は、弾性環状体の設置によって、異なる口径の容器に合わせて使用されるようにし、カバーユニットを第１の形態又は第２の形態に調整することで、容器の内部空間と外界との連通を制御して、本考案の容器用キャップ構造を容器の開口をカバーする前提で容器の品物を放出することができ、本考案の容器用キャップ構造の適用範囲を効果的に広げることができる。
【００１１】
本考案の別の実施形態は、容器の開口を覆うための飲料調製キャップ構造において、スルーホールを含む本体と、本体の周縁に一体的に設けられ、且つ飲料調製キャップ構造を開口に位置決めするための弾性環状体と、スルーホールに覆設され、且つ複数の排水穴及び一つの中央開口を含有するセパレーターと、セパレーターの一側に変形可能に設けられ、且つ第１の表面及び第２の表面を含有するカバーユニットと、一端が第１の表面に接続されて設けられる第１のプルロッドと、一端が中央開口を貫通して第２の表面に接続されて設けられる第２のプルロッドと、を含み、本体に設けられるカバーセットと、本体に取り外し可能に設けられ、カバーセットをカバーする飲料調製ユニットと、を備え、排水穴は、カバーユニットが第１のプルロッドによって引かれて第１の形態になる場合、カバーユニットによって覆われるが、カバーユニットが第２のプルロッドによって引かれて第２の形態になる場合、容器の内部空間に連通する飲料調製キャップ構造を提供する。
【００１２】
前記実施形態の飲料調製キャップ構造によれば、前記排水穴は、前記の中央開口を囲むように互いに間隔をおいて並列してよい。
【００１３】
前記実施形態の飲料調製キャップ構造によれば、前記カバーユニットは、周長が前記のセパレーターの周長よりも大きく、且つそのベクトル高さが前記のセパレーターのベクトル高さよりも大きいようにしてよい。
【００１４】
前記実施形態の飲料調製キャップ構造によれば、前記第１の表面は第１の中心部を有し、前記の第２の表面は第２の中心部を有し、且つ前記第１のプルロッドの一端が第１の中心部に接続され、前記の第２のプルロッドの一端が第２の中心部に接続されてよい。
【００１５】
前記実施形態の飲料調製キャップ構造によれば、前記弾性環状体は、環状接続部、第１の裾部及び第２の裾部を含んでよく、第１の裾部及び第２の裾部がそれぞれ環状接続部の両側に設けられ、且つ環状接続部が本体の周縁に接続される。
【００１６】
前記実施形態の飲料調製キャップ構造によれば、前記飲料調製ユニットは、内円錐面と、内円錐面に間隔をおいて設けられる複数のリブと、を含む圧潰コーンであってよい。
【００１７】
前記実施形態の飲料調製キャップ構造によれば、前記圧潰コーンは、前記第１のプルロッドが貫通する中央貫通穴を更に含み、第１のプルロッドの他端に、中央貫通穴のサイズよりも大きい第１のプラグを有し、第２のプルロッドの他端に、第２のプラグを有してよい。
【００１８】
前記実施形態の飲料調製キャップ構造によれば、前記圧潰コーンは、中央貫通穴と、中央貫通穴に覆設され、且つ第１のプルロッドの他端が接続される仕切り膜と、を更に含んでよい。
【００１９】
前記実施形態の飲料調製キャップ構造によれば、前記飲料調製ユニットは、茶こしであってよい。
【００２０】
前記実施形態の飲料調製キャップ構造によれば、前記飲料調製ユニットは、製氷皿であってよい。
【考案の効果】
【００２１】
これにより、本考案の飲料調製キャップ構造は、弾性環状体の設置によって、異なる口径の容器に合わせて使用されるようにし、第１のプルロッドと第２のプルロッドを引く形態で第１の形態と第２の形態との間で転換するようにカバーユニットを引いて、容器の内部空間と外界との連通を更に制御して、本考案の飲料調製キャップ構造において容器の開口をカバーする前提で容器の品物を放出することができ、その使用をより便利にする。なお、飲料調製ユニットの設置によって、本考案の飲料調製キャップ構造にジュース抽出、ティーメイキング、アイス調製等の複数の機能を持たせ、更に本考案の容器用キャップ構造の適用範囲を広げる。
【図面の簡単な説明】
【００２２】
下記図面の簡単な説明は、本考案の前記又は他の目的、特徴、メリット、実施例をより分かりやすくするためのものである。
【図１】本考案の一実施形態の実施例における容器用キャップ構造を示す模式図である。
【図２】図１の容器用キャップ構造を示す別の模式図である。
【図３】本考案の別の実施形態の実施例における飲料調製キャップ構造を示す模式図である。
【図４】図３の飲料調製キャップ構造を示す分解図である。
【図５】図３の飲料調製キャップ構造を示す作動分解図である。
【図６】図３の飲料調製キャップ構造を示す別の作動分解図である。
【図７】本考案の別の実施形態の別の実施例における飲料調製キャップ構造を示す模式図である。
【図８】本考案の別の実施形態の更に１つの実施例における飲料調製キャップ構造を示す模式図である。
【図９】本考案の別の実施形態のまた１つの実施例における飲料調製キャップ構造を示す模式図である。
【考案を実施するための形態】
【００２３】
図１と図２を参照されたい。図１は、本考案の一実施形態の実施例における容器用キャップ構造１００を示す模式図である。図２は、図１の容器用キャップ構造１００を示す別の模式図である。容器用キャップ構造１００は、容器（未図示）の開口（未図示）を覆うことに用いられ、本体１１０と、弾性環状体１２０と、カバーセット１３０と、を備える。
【００２４】
本体１１０は、スルーホール１１１を含む。弾性環状体１２０は、本体１１０の周縁に一体的に設けられ、且つ容器用キャップ構造１００を容器の開口に位置決めすることに用いられる。好ましくは、図１と図２の実施例において、弾性環状体１２０は、環状接続部１２１及び裾部１２２を含み、且つ環状接続部１２１が本体１１０の周縁に接続される。詳しくは、容器用キャップ構造１００が容器の開口を覆うことに用いられる場合、弾性環状体１２０の裾部１２２は、引き伸ばされて容器に覆設され、弾性環状体１２０が外力による引っ張りから解除されると、更に収縮して容器の外壁にしっかりと覆設されることで、本体１１０が開口に位置決めされて、開口を完全に密閉し、本体１１０の変位による液体又は品物の漏れを防ぎ、更に本考案の容器用キャップ構造１００の使用をより便利にする。なお、弾性環状体１２０が弾性力を有するため、必要に応じて引き伸ばされて異なる口径を有する容器に覆設されることができ、本考案の容器用キャップ構造１００の適用範囲を更に広げる。また、弾性環状体１２０の裾部１２２は、容器の内部空間に詰め込まれるように、容器用キャップ構造１００を容器の開口に位置決めしてもよいが、本考案の使用形態はこれに限定されない。
【００２５】
カバーセット１３０は、本体１１０に設けられ、且つセパレーター１４０及びカバーユニット１５０を含む。セパレーター１４０は、スルーホール１１１に覆設され、且つ複数の排水穴１４１及び一つの中央接続部１４２を含み、カバーユニット１５０は、中央接続部１４２に変形可能に設けられる。好ましくは、図１の実施例において、カバーユニット１５０は、中央接続部１４２に対応して接続される中心部１５１を含み、且つ排水穴１４１は、中央接続部１４２を囲むように互いに間隔をおいて並列されて、液体の流れに寄与する。排水穴１４１は、カバーユニット１５０が第１の形態に変形される場合、カバーユニット１５０によりカバーされるが、カバーユニット１５０が第２の形態に変形される場合、容器の内部空間に連通する。
【００２６】
詳しくは、図１は、容器用キャップ構造１００のカバーユニット１５０が第２の形態となる様子を示す模式図であり、図２は、容器用キャップ構造１００のカバーユニット１５０が第１の形態となる様子を示す模式図である。図１に示すように、カバーユニット１５０が第２の形態に変形される場合、排水穴１４１は、容器の内部空間に連通して、更に容器における液体が排水穴１４１を介して内部空間から放出されることができるようにし、図２に示すように、カバーユニット１５０が第１の形態に変形される場合、セパレーター１４０はカバーユニット１５０により完全にカバーされ、この場合、容器が容器用キャップ構造１００により完全に密閉されて、更に容器における液体の揺れや振動による漏れを避ける。好ましくは、図２の実施例において、カバーユニット１５０のセパレーター１４０に対するカバー効果を更に高めるように、第１の形態は、中空の半円球形状であってよい。これにより、本考案の容器用キャップ構造１００は、カバーユニット１５０を第１の形態又は第２の形態に調整するように、容器の内部空間と外界との連通を制御して、本考案の容器用キャップ構造１００が容器の開口をカバーする前提で容器における液体を放出できるようにして、その使用をより便利にするだけでなく、本考案の容器用キャップ構造１００の適用範囲を効果的に広げることができる。
【００２７】
図３と図４を参照されたく、図３は、本考案の別の実施形態の実施例における飲料調製キャップ構造２００を示す模式図であり、図４は、図３の飲料調製キャップ構造２００を示す分解図である。飲料調製キャップ構造２００は、容器（未図示）の開口（未図示）を覆うことに用いられ、本体２１０と、弾性環状体２２０と、カバーセット２３０と、飲料調製ユニット２６０と、を備える。
【００２８】
本体２１０は、スルーホール２１１を含む。弾性環状体２２０は、本体２１０の周縁に一体的に設けられ、且つ飲料調製キャップ構造２００を容器の開口に位置決めすることに用いられる。好ましくは、図３と図４の実施例において、弾性環状体２２０は、環状接続部２２１、第１の裾部２２２及び第２の裾部２２３を含み、第１の裾部２２２及び第２の裾部２２３がそれぞれ環状接続部２２１の両側に設けられ、且つ環状接続部２２１が本体２１０の周縁に接続される。詳しくは、飲料調製キャップ構造２００が容器の開口を覆うことに用いられる場合、弾性環状体２２０の第１の裾部２２２又は第２の裾部２２３は、引き伸ばされて容器に覆設され、弾性環状体２２０が外力による引っ張りから解除されると、更に収縮して容器の外壁にしっかりと覆設されることで、本体２１０が開口に位置決めされて、開口を完全に密閉し、本体２１０の変位による液体又は品物の漏れを防止する。これにより、本考案の飲料調製キャップ構造２００は、より使いやすくなり、異なる口径の容器に合わせて使用することができる。また、弾性環状体２２０の第１の裾部２２２及び第２の裾部２２３も、容器の内部空間に詰め込まれるように、飲料調製キャップ構造２００を容器の開口に位置決めしてもよいが、本考案の使用形態はこれに限定されない。
【００２９】
なお、図３と図４の実施例において、第１の裾部２２２と第２の裾部２２３とは、周長が等しくなく、且つ傾斜裾の態様も異なり、このように、本考案の飲料調製キャップ構造２００が容器の開口を覆うことに用いられる場合、第１の裾部２２２と第２の裾部２２３は、後の容器における液体の放出に寄与するように、非対称的に傾けて設けられて容器のカップ口として使用されて、本考案の飲料調製キャップ構造２００の使用利便性を向上させることができる。
【００３０】
カバーセット２３０は、本体２１０に設けられ、且つセパレーター２４０、カバーユニット２５０、第１のプルロッド２３１及び第２のプルロッド２３２を含む。セパレーター２４０は、スルーホール２１１に覆設され、且つ複数の排水穴２４１及び一つの中央開口２４２（図４に示される）を含む。カバーユニット２５０は、セパレーター２４０の一側に変形可能に設けられ、且つ第１の表面２５１及び第２の表面２５２を含む。第１のプルロッド２３１は、一端が第１の表面２５１に接続されて設けられる。第２のプルロッド２３２は、一端が中央開口２４２を貫通して第２の表面２５２に接続されて設けられる。排水穴２４１は、カバーユニット２５０が第１のプルロッド２３１によって引かれて第１の形態になる場合、カバーユニット２５０によりカバーされるが、カバーユニット２５０が第２のプルロッド２３２によって引かれて第２の形態になる場合、容器の内部空間に連通する。具体的に、第１のプルロッド２３１と第２のプルロッド２３２がそれぞれカバーユニット２５０の第１の表面２５１及び第２の表面２５２に接続されて設けられるため、第１のプルロッド２３１が引かれてカバーユニット２５０を変形するように引っ張る場合、第２のプルロッド２３２は、同時にカバーユニット２５０により引かれて変位してそのカバーユニット２５０に対応する位置を変えるが、第２のプルロッド２３２が引かれて第１のプルロッド２３１により引かれる前の位置に回復する場合、第１のプルロッド２３１は、同時にカバーユニット２５０により引かれて変位し、このように、本考案の飲料調製キャップ構造２００は、第１のプルロッド２３１と第２のプルロッド２３２を引き延ばすように、第１の形態と第２の形態との間で転換するようにカバーユニット２５０を引き、更に容器の内部空間と外界との連通を制御して、本考案の飲料調製キャップ構造２００が容器の開口をカバーする前提で容器における飲料を放出できるようにして、更に本考案の飲料調製キャップ構造２００の使用をより便利にする。
【００３１】
好ましくは、図３と図４の実施例において、液体の流れに寄与するように、排水穴２４１は、中央開口２４２を囲むように互いに間隔をおいて並列してよく、第１の表面２５１は第１の中心部２５３を有してよく、第２の表面２５２は第２の中心部２５４を有してよく、且つ第１のプルロッド２３１の一端が第１の中心部２５３に接続され、第２のプルロッド２３２の一端が第２の中心部２５４に接続されて、第１のプルロッド２３１と第２のプルロッド２３２がカバーユニット２５０を引いて変形させる効率を向上させる。
【００３２】
飲料調製ユニット２６０は、本体２１０に取り外し可能に設けられ、カバーセット２３０をカバーする。詳しくは、図３の実施例において、飲料調製ユニット２６０は、圧潰コーンであり、本考案の飲料調製キャップ構造２００が果汁抽出及び果汁飲料の調製に使用可能にし、更に飲料調製キャップ構造２００の適用範囲を広げる。
【００３３】
図５と図６を参照されたく、図５は、図３の飲料調製キャップ構造２００の作動分解図であり、図６は、図３の飲料調製キャップ構造２００を示す別の作動分解図であり、図５は、飲料調製キャップ構造２００のカバーユニット２５０が第２の形態となる様子を示す模式図であり、図６は、飲料調製キャップ構造２００のカバーユニット２５０が第１の形態となる様子を示す模式図である。
【００３４】
図５に示すように、圧潰コーンである飲料調製ユニット２６０は、内円錐面２６１及び複数のリブ２６２を含む。複数のリブ２６２は内円錐面２６１に間隔をおいて設けられ、カバーユニット２５０が第２のプルロッド２３２によって引かれて第２の形態になる場合、排水穴２４１は、容器の内部空間に連通し、更に容器における液体が排水穴２４１を介して内部空間から放出することができる。詳しくは、カバーユニット２５０が第２のプルロッド２３２によって引かれる場合、第２の中心部２５４は、第２のプルロッド２３２によって引かれて快速に変形し、その周縁部２５５によって各リブ２６２の一端に当接されて、カバーユニット２５０が第２の形態となるように変形する。図６に示すように、カバーユニット２５０が第１のプルロッド２３１によって引かれる場合、カバーユニット２５０の第１の中心部２５３が引かれて移動して、カバーユニット２５０が快速に変形して周縁部２５５が各リブ２６２の一端から離れ、更に第１の形態となるように変形し、この場合、排水穴２４１は、カバーユニット２５０によりカバーされ、第２のプルロッド２３２の他端の第２のプラグ２３４が更にスルーホール２１１を密閉して、更に容器が飲料調製キャップ構造２００によって完全に密閉されるようにし、容器における液体の揺れや振動による漏れを避ける。好ましくは、カバーユニット２５０は、周長がセパレーター２４０の周長よりも大きく、且つそのベクトル高さがセパレーター２４０のベクトル高さよりも大きいようになってよく、これにより、カバーユニット２５０のセパレーター２４０にカバーされる緊密性と完全性を向上させ、飲料調製キャップ構造２００の密閉効果を更に向上させる。
【００３５】
なお、図３の実施例において、圧潰コーンである飲料調製ユニット２６０は、第１のプルロッド２３１が貫通する中央貫通穴２６３を更に含み、且つ第１のプルロッド２３１の他端に第１のプラグ２３３を有し、第１のプラグ２３３のサイズが中央貫通穴２６３のサイズ以上であってよい。これにより、第１のプルロッド２３１の第１のプラグ２３３が設けられる一端は、第１のプルロッド２３１が飲料調製ユニット２６０に沈んでその利便性に影響を与えることを避けるように、中央貫通穴２６３のカバーセット２３０から離れる一側に保持されることができる。
【００３６】
本考案の別の実施形態の別の実施例における飲料調製キャップ構造３００を示す模式図である図７を参照されたい。飲料調製キャップ構造３００については、図３の飲料調製キャップ構造２００と類似するので、同じ素子構造と細部をここで説明しない。図７に示すように、飲料調製キャップ構造３００は、容器１０の開口（未図示）を密閉するように、その弾性環状体３２０によって容器１０に覆設され、また、飲料調製ユニット３６０が製氷皿である。詳しくは、製氷皿である飲料調製ユニット３６０は、まず沸騰水で満たされてから冷凍庫に入れられて、その中の沸騰水を凍結し、その後、飲料を容器１０に入れて、別に氷塊を追加せずに、本考案の飲料調製キャップ構造３００が容器１０に合わせて冷たい飲料の調製に直接適用できるようにし、更に本考案の飲料調製キャップ構造３００の適用範囲を広げる。
【００３７】
本考案の別の実施形態の更に１つの実施例における飲料調製キャップ構造４００を示す模式図である図８を参照されたい。飲料調製キャップ構造４００については、図３の飲料調製キャップ構造２００と類似するので、同じ素子構造と細部をここで説明しない。図８に示すように、飲料調製キャップ構造４００は、その弾性環状体４２０によって容器２０に覆設されて、容器２０の開口（未図示）を密閉し、飲料調製ユニット４６０は、茶又は他の醸造製品を入れるための茶こしであり、茶又は他の醸造飲料が茶こしの小さな穴から容器２０の中に流れて、容器２０において醸造残渣を含まない飲料を形成することで、本考案の飲料調製キャップ構造４００は、容器２０を効果的に密閉するだけでなく、容器２０に合わせて茶や他の飲料を醸造することができ、更に本考案の飲料調製キャップ構造４００の適用範囲を広げる。
【００３８】
また、本考案のまた１つの実施形態の別の実施例における飲料調製キャップ構造５００を示す模式図である図９を参照されたい。図９の飲料調製キャップ構造５００は、図３の飲料調製キャップ構造２００と類似するので、同じ素子構造と細部をここで説明しない。
【００３９】
図９に示すように、圧潰コーンである飲料調製ユニット５６０は、中央貫通穴５６１及び仕切り膜５６２を更に含んでよい。仕切り膜５６２が中央貫通穴５６１に覆設され、且つ第１のプルロッド５３１の他端が仕切り膜５６２に接続される。これにより、第１のプルロッド５３１を押すことで変位させカバーユニット５５０を引いて変形させることができるが、本考案はこれに限定されない。好ましくは、仕切り膜５６２の材料は、シリカゲルであってよく、プラスチック射出により圧潰コーンである飲料調製ユニット５６０に一体的に形成されることができ、シリカゲルで製造された仕切り膜５６２が柔軟性を持ち、ユーザーの操作を容易にする。
【００４０】
本考案では実施形態を前述の通り開示したが、これらは本考案を限定するものではなく、当業者であれば、本考案の精神と領域を離脱しない範囲内で、多様の変動や修正を加えることができ、従って本考案の保護範囲は、実用新案登録請求の範囲で指定した内容を基準とする。
【符号の説明】
【００４１】
１００：容器用キャップ構造
１１０、２１０：本体
１１１、２１１：スルーホール
１２０、２２０、３２０、４２０：弾性環状体
１２１、２２１：環状接続部
１２２：裾部
１３０、２３０：カバーセット
１４０、２４０：セパレーター
１４１、２４１：排水穴
１４２：中央接続部
１５０、２５０、５５０：カバーユニット
１５１：中心部
２００、３００、４００、５００：飲料調製キャップ構造
２２２：第１の裾部
２２３：第２の裾部
２３１、５３１：第１のプルロッド
２３２：第２のプルロッド
２３３：第１のプラグ
２３４：第２のプラグ
２４２：中央開口
２５１：第１の表面
２５２：第２の表面
２５３：第１の中心部
２５４：第２の中心部
２５５：周縁部
２６０、３６０、４６０、５６０：飲料調製ユニット
２６１：内円錐面
２６２：リブ
２６３、５６１：中央貫通穴
５６２：仕切り膜
１０、２０：容器
【図１】
0003227940.tif 000003
【図２】
0003227940.tif 000004
【図３】
0003227940.tif 000005
【図４】
0003227940.tif 000006
【図５】
0003227940.tif 000007
【図６】
0003227940.tif 000008
【図７】
0003227940.tif 000009
【図８】
0003227940.tif 000010
【図９】
0003227940.tif 000011
【手続補正書】
【提出日】令和2年6月26日(2020.6.26)
【手続補正２】
【補正対象書類名】実用新案登録請求の範囲
【補正対象項目名】全文
【補正方法】変更
【補正の内容】
【実用新案登録請求の範囲】
【請求項１】
容器の開口を覆うための容器用キャップであって、
スルーホールを含む本体と、
前記本体の周縁に一体的に設けられ、且つ前記容器用キャップを前記開口に位置決めするための弾性環状体と、
前記スルーホールに覆設され、且つ複数の排水穴及び一つの中央接続部を含有するセパレーターと、前記中央接続部に変形可能に設けられるカバーユニットと、を含み、前記本体に設けられるカバーセットと、
を備え、
前記排水穴は、前記カバーユニットが第１の形態に変形される場合、前記カバーユニットによって覆われるが、前記カバーユニットが第２の形態に変形される場合、前記容器の内部空間に連通する、前記容器用キャップ。
【請求項２】
前記排水穴は、前記中央接続部を囲むように、互いに間隔をおいて並列される請求項１に記載の容器用キャップ。
【請求項３】
前記カバーユニットは、前記中央接続部に対応して接続される中心部を含む請求項１に記載の容器用キャップ。
【請求項４】
前記第１の形態は、中空の半円球形状であり、且つ前記カバーユニットが前記第１の形態となる場合、前記セパレーターは、前記カバーユニットによって完全に覆われる請求項１に記載の容器用キャップ。
【請求項５】
前記弾性環状体は、環状接続部及び裾部を含み、且つ前記環状接続部が前記本体の周縁に接続される請求項１に記載の容器用キャップ。
【請求項６】
容器の開口を覆うための飲料調製キャップであって、
スルーホールを含む本体と、
前記本体の周縁に一体的に設けられ、且つ前記飲料調製キャップを前記開口に位置決めするための弾性環状体と、
前記スルーホールに覆設され、且つ複数の排水穴及び一つの中央開口を含有するセパレーターと、前記セパレーターの一側に変形可能に設けられ、且つ第１の表面及び第２の表面を含有するカバーユニットと、一端が前記第１の表面に接続されて設けられる第１のプルロッドと、一端が前記中央開口を貫通して前記第２の表面に接続されて設けられる第２のプルロッドと、を含み、前記本体に設けられるカバーセットと、
前記本体に取り外し可能に設けられ、前記カバーセットをカバーする飲料調製ユニットと、
を備え、
前記排水穴は、前記カバーユニットが前記第１のプルロッドによって引かれて第１の形態になる場合、前記カバーユニットによって覆われるが、前記カバーユニットが前記第２のプルロッドによって引かれて第２の形態になる場合、前記容器の内部空間に連通する、前記飲料調製キャップ。
【請求項７】
前記排水穴は、前記中央開口を囲むように、互いに間隔をおいて並列される請求項６に記載の飲料調製キャップ。
【請求項８】
前記カバーユニットは、周長が前記セパレーターの周長よりも大きく、且つそのベクトル高さが前記セパレーターのベクトル高さよりも大きい請求項７に記載の飲料調製キャップ。
【請求項９】
前記第１の表面は第１の中心部を有し、前記第２の表面は第２の中心部を有し、且つ前記第１のプルロッドの一端が前記第１の中心部に接続され、前記第２のプルロッドの一端が前記第２の中心部に接続される請求項６に記載の飲料調製キャップ。
【請求項１０】
前記弾性環状体は、環状接続部、第１の裾部及び第２の裾部を含み、前記第１の裾部及び前記第２の裾部がそれぞれ前記環状接続部の両側に設けられ、且つ前記環状接続部が前記本体の周縁に接続される請求項６に記載の飲料調製キャップ。
【請求項１１】
前記飲料調製ユニットは、
内円錐面と、
前記内円錐面に間隔をおいて設けられる複数のリブと、
を含む圧潰コーンである請求項６に記載の飲料調製キャップ。
【請求項１２】
前記圧潰コーンは、前記第１のプルロッドが貫通する中央貫通穴を更に含み、前記第１のプルロッドの他端に第１のプラグを有し、前記第２のプルロッドの他端に第２のプラグを有し、且つ前記第１のプラグのサイズが前記中央貫通穴のサイズよりも大きい請求項１１に記載の飲料調製キャップ。
【請求項１３】
前記圧潰コーンは、
中央貫通穴と、
前記中央貫通穴に覆設され、且つ前記第１のプルロッドの他端が接続される仕切り膜と、
を更に含む請求項１１に記載の飲料調製キャップ。
【請求項１４】
前記飲料調製ユニットは、茶こしである請求項６に記載の飲料調製キャップ。
【請求項１５】
前記飲料調製ユニットは、製氷皿である請求項６に記載の飲料調製キャップ。